(57)【要約】【課題】固定状態では強固に固定され、ファイル本体と分離する際には容易に取り外し可能な綴具に関する技術を提供する。【解決手段】ファイル本体Ｂに取り外し可能に取り付けられる綴具１であって、ファイル本体Ｂの背表紙Ｂ３の内側に固定される基板部２と、軸部と該軸部の端部に設けられる頭部とを有し、前記頭部で前記基板部を押さえつけて基板部２を背表紙Ｂ３に固定する固定手段としてのリベット１０と、基板部２に設けられリベット１０の軸部が貫通する孔部３ａ〜３ｄと、孔部３ａ〜３ｄの一部としての固定領域部３ａ１〜３ｄ１及び解除領域部３ａ２〜３ｄ２と、リベット１０の頭部が固定領域部３ａ１〜３ｄ１に接触する固定状態において、基板部２が背表紙Ｂ３と相対的にスライドするのを規制する、基板部２の長手方向の一端部が折り返されることで形成される規制部３０と、を備える。【選択図】図１
2008119944.tif 000002
【特許請求の範囲】
【請求項１】
表紙体に取り外し可能に取り付けられる綴具であって、
前記表紙体の内側に固定される基板部と、
軸部と該軸部の端部に設けられる頭部とを有し、前記頭部で前記基板部を押さえつけて前記基板部を前記表紙体に固定する固定手段と、
前記基板部に設けられ、前記固定手段の軸部が貫通する孔部と、
前記孔部の一部であって、前記固定手段の頭部が接触する固定領域部と、
前記孔部の一部であって、前記固定領域部に隣接し、前記固定手段の頭部が擦り抜けて前記固定手段による固定状態が解除される解除領域部と、
前記固定手段の頭部が前記固定領域部に接触する固定状態において、前記基板部が前記表紙体と相対的にスライドするのを規制する、前記基板部の長手方向の一端部が折り返されることで形成される規制部と、
を備える綴具。
【請求項２】
前記規制部は、
前記固定状態において、前記固定手段の頭部と接触する接触部と、
前記固定状態から前記解除状態に移行させる際に、手指又は工具を引掛ける引掛部と、を有する請求項１に記載の綴具。
【請求項３】
前記固定手段は、リベットである、請求項１又は請求項２に記載の綴具。
【発明の詳細な説明】
【技術分野】
【０００１】
本発明は、表紙体に取り外し可能に取り付けられる綴具の技術に関する。
【背景技術】
【０００２】
書類や紙片を綴じて保存・整理するファイル類において、背表紙の内側に、綴具が固定されている。この綴具としては、従来から様々なタイプのものが知られている。
【０００３】
例えば、特許文献１に記載の技術は、綴具を備えるファイルに関するものであるが、特許文献１に記載のファイルによれば、綴具と背表紙とが取り外し可能であるので、廃棄する際に綴具を背表紙から分離でき、分別廃棄が可能となる。
【特許文献１】特許第３０９５６９１号公報
【発明の開示】
【発明が解決しようとする課題】
【０００４】
綴具は、ファイル本体の背表紙に固定されたものから取り外し可能なものまで様々であるが、綴具が取り外し可能なファイルによればファイル本体と綴具の分別廃棄が可能となる。また、綴具の材質は、樹脂製、金属製等様々であるが、金属製の綴具によれば樹脂製に比べて強度を増すことができる。
【０００５】
金属製の綴具によれば、その優れた強度により、より多くの書類や紙片を保存することができるが、綴具がファイル本体と取り外し可能な綴具においては、固定状態では綴具とファイル本体とが強固に固定され、綴具をファイル本体と分離する際には、容易に分離できることが要求される。
【０００６】
本発明は、上記問題に鑑みてなされたものであり、固定状態では綴具とファイル本体とが強固に固定され、綴具をファイル本体と分離する際には容易に取り外し可能な綴具に関する技術を提供することを課題とする。
【課題を解決するための手段】
【０００７】
本発明では、上記の課題を解決するため、以下の手段を採用した。すなわち、本発明は、表紙体に取り外し可能に取り付けられる綴具であって、前記表紙体の内側に固定される基板部と、軸部と該軸部の端部に設けられる頭部とを有し、前記頭部で前記基板部を押さえつけて前記基板部を前記表紙体に固定する固定手段と、前記基板部に設けられ、前記固定手段の軸部が貫通する孔部と、前記孔部の一部であって、前記固定手段の頭部が接触する固定領域部と、前記孔部の一部であって、前記固定領域部に隣接し、前記固定手段の頭部が擦り抜けて前記固定手段による固定状態が解除される解除領域部と、前記固定手段の頭部が前記固定領域部に接触する固定状態において、前記基板部が前記表紙体と相対的にスライドするのを規制する、前記基板部の長手方向の一端部が折り返されることで形成される規制部と、を備える。
【０００８】
本発明に係る綴具は、頭部で基板部を押さえつける固定手段と、基板部の長手方向の一端部が折り返されることで形成される規制部と、を備えることで、基板部が表紙体の内側に強固に固定される。より具体的には、固定手段は、綴具が表紙体の内側面に対して直角方向へ動くのを規制する。また、規制部は、綴具が表紙体と相対的にスライドするのを規制する。このように、固定手段と規制手段によって基板部が表紙体の内側に強固に固定されるので、多くの書類を綴じることで綴具と表紙体との接続部分に負荷がかかるような場合であっても、確実に固定状態を維持することができる。
【０００９】
また、固定手段の軸部が貫通する孔部は、固定領域部と解除領域部とを有し、規制部による規制を解除し、固定手段が解除領域部にくるように基板部をスライドすると固定手段の頭部が解除領域部を擦り抜けて固定状態が解除されるので、綴具と表紙体とを容易に分離することができ、分別廃棄が可能となる。
【００１０】
なお、綴具の基板部は金属製とすることが好ましく、これにより強度に優れた綴具とすることができる。また、本発明に係る規制部は、基板部の一端部が折り返されることで形成されるが、基盤部を金属製とする場合には、直線状に折り返すことや金属のもつ強度が妨げとなり、容易に折り返すことができないといった問題を生ずる虞がある。このような問題を解決するため、基板部を金属製とする場合には、折り返し部に沿って折り返し用孔部を形成することが好ましく、これにより、折り返す際のガイドとなると共に容易に折り返すことが可能となる。なお、折り返し用孔部の大きさや数は、基板部の材質等に基づいて適宜設定すればよい。
【００１１】
また、本発明に係る綴具において、前記規制部は、前記固定状態において、前記固定手段の頭部と接触する接触部と、前記固定状態から前記解除状態に移行させる際に、手指又は工具を引掛ける引掛部と、を有するようにしてもよい。
【００１２】
接触部は、固定状態において固定手段の頭部と接触することで基板部が表紙体と相対的にスライドするのを規制するものであり、例えば規制部の自由端の固定手段に対応する位置に片を設けることで形成することができる。また、接触部である片の先端部分の形状を接触する固定手段の形状に合わせることで、より安定的に固定することができる。具体的には、例えば、固定手段が円筒形である場合には、片の先端部分の形状をこれに合わせて円弧状に凹ませることが好ましい。
【００１３】
引掛部は、規制部を折り返した状態において規制部の自由端側の一部が表紙体の内側に突出させることで形成することができる。これにより、基板部と規制部との間に空間が形成され、この空間に手指や工具を挿入することができ、折り返された基板部を容易に開くことが可能となる。基板部を開くことで規制が解除されるので、その後基板部をスライドさせ、最終的に固定状態から解除状態に移行させることが可能となる。
【００１４】
また、本発明に係る綴具において、前記固定手段は、リベットとすることができる。リベットは、軸部と、軸部の端部に設けられた頭部と、を有する構成とすることができる。また、リベットの材質は特に限定されるものではないが、基板部を金属製とする場合には、リベットも金属製とすることが好ましい。これにより、より強度の優れた綴具とすることができるからである。なお、本発明において頭部とは、軸部の端部に予め形成されている頭部の他、予め形成されている頭部の反対側にかしめることで形成されるものも含むものとする。
【発明の効果】
【００１５】
本発明によれば、固定状態では綴具とファイル本体とが強固に固定され、綴具をファイル本体と分離する際には容易に取り外し可能な綴具に関する技術を提供するが可能となる。
【発明を実施するための最良の形態】
【００１６】
次に、本発明に係る綴具の実施形態について図面に基づいて説明する。
【００１７】
＜構成＞
図１は、綴具１をファイル本体Ｂの背表紙Ｂ３に固定した状態を示す斜視図である。図
２は、綴具１の側面図である。図３Ａは、綴具１の縦断面図である。図３Ｂは、リベットによる固定部分の拡大断面図である。図３Ｃは、他の実施形態のリベットを用いた場合の綴具１の縦断面図である。図４は、規制部３０を開いた状態を示す斜視図である。綴具１は、ファイル本体Ｂの背表紙Ｂ３の内側に固定されて使用される。ファイル本体Ｂは、背表紙Ｂ３と、背表紙Ｂ３に回動自在に接続される表表紙Ｂ１、裏表紙Ｂ２とにより形成することができる。ファイル本体Ｂは、例えば芯材の表面にポリプロピレン等の表皮部材を接着剤等で貼り付け、芯材の裏面には紙からなる裏皮部材を貼り付けることで構成することができる。また、背表紙Ｂ３と、表表紙Ｂ１、裏表紙Ｂ２との接続部分は薄肉ヒンジとすることで、ファイル本体Ｂを一体的に形成することができる。
【００１８】
綴具１は、ファイル本体Ｂの背表紙Ｂ３の内側に固定される基板部２と、基板部２の左右（背表紙Ｂ３の幅方向）両側にヒンジ９ａ、９ｂを介して接続される側板４ａ、４ｂと、背表紙Ｂ３と基板部２とを固定する四つのリベット１０と、を備える。なお、本実施形態に係る綴具１は、金属製とした。金属製とすることで、耐久性が増し、多くの書類を綴じると共に長期間の使用が可能となる。
【００１９】
一方の側板４ｂには、書類のパンチ孔に挿入されるパイプ状の二本の綴り管５ａ、５ｂが一体的に形成され、他方の側板４ａには綴り管５ａ、５ｂ内部に挿入される棒状の綴り棒６ａ、６ｂが一体的に形成され、綴り管５ａ、５ｂ又は綴り棒６ａ、６ｂに書類のパンチ孔を挿入することで書類を綴じることができる。なお、本実施形態に係る綴具１における側板４ａ、４ｂ、綴り棒６ａ、６ｂ等の構成は従来の一般的な構成の一例であって上記に限定されるわけではない。
【００２０】
基板部２には、リベット１０が貫通する孔部３ａ〜３ｄが形成されている。孔部３ａと孔部３ｃは、ヒンジ９ａから所定の間隔をもって背表紙Ｂ３の長手方向に伸びる第一の仮想線上（図示せず）に設けられている。また、孔部３ｂと孔部３ｄは、ヒンジ９ｂから所定の間隔をもって背表紙Ｂ３の長手方向に伸びる第二の仮想線上（図示せず）に設けられている。なお、上記所定の間隔は、背表紙Ｂ３の幅を考慮して適宜設定すればよい。
【００２１】
また、孔部３ｃと孔部３ｄは、固定状態において接触部としての片３２ａ、３２ｂがリベット１０の頭部１２と接触するように、規制部３０側の基板部２の端部から所定の間隔をもって設けられている。なお、この所定の間隔は、規制部３０の長さ（背表紙Ｂ３の長手方向における長さ）と接触部３２ａ、３２ｂの長さ（背表紙Ｂ３の長手方向における長さ）に基づいて適宜設定することができる。また、孔部３ａと孔部３ｂは、規制部３０と反対側の基板部２の端部（自由端）から所定の間隔をもって設けられている。そして、この所定の間隔は、規制部側の所定の間隔（長さ）に合わせることが好ましく、これにより、基板部２をバランスよく背表紙Ｂ３に固定することができる。
【００２２】
孔部３ａは、固定状態においてリベット１０の頭部１２が接触する円状の固定領域部３ａ１と、固定領域部３ａ１の下側（規制部側）に隣接し、リベット１０の頭部１２が擦り抜ける円状の解除領域部３ａ２と、を有する。固定領域部３ａ１の径は、リベット１０の軸部の径よりもやや大きく形成されており、解除領域部３ａ２の径は、リベット１０の頭部１２の径よりもやや大きく形成されている。また、固定領域部３ａ１と解除領域部３ａ２の中心は、共に上述した第一の仮想線上に設けられている。
【００２３】
なお、他の孔部３ｂ〜３ｄも上述した孔部３ａと同様の構成により形成されている。その結果、図４に示すように、規制部３０を開いた状態において基板部２を背表紙Ｂ３の長手方向であって規制部３０と反対側（図４におけるＸ方向）にスライドすることで、四つのリベット１０の頭部１２がそれぞれ孔部３ａから３ｄの解除領域部３ａ２〜３ｄ２に位置し、基板部２を背表紙Ｂ３より分離することが可能となる。
【００２４】
ここで、リベット１０について説明する。図３Ａ、図３Ｂに示すように、リベット１０は、軸部１１と、軸部１１の一端に設けられ背表紙Ｂ３の外側に接する頭部１４と、を備える。なお、頭部１４の反対側に形成される頭部１２は、軸部１１を背表紙Ｂ３と基板部２とを貫通させて専用の工具等を用いてかしめることで形成される。このようなリベット１０によって、基板部２が背表紙Ｂ３の内側に固定される。なお、リベット１０についても金属製とすることが好ましく、これにより綴具１に十分な強度を持たせることができる。
【００２５】
なお、上記リベット１０に替えて、図３Ｃに示すような、軸部１１ａと軸部１１ａの一端に設けられ固定状態において基板部２の固定領域部３ａ１〜３ｄ１と接する頭部１２ａとからなる第一のリベット部材と、軸部１１ａが挿入される軸部１３ａと軸部１３ａの一端に設けられ背表紙Ｂ３の外側に接する頭部１４ａとからなる第二のリベット部材と、を備えるリベット１０ａを用いてもよい。そして、第一のリベット部材と第二のリベット部材とを専用の工具等を用いてかしめることで、基板部２が背表紙Ｂ３の内側に固定される。また、リベット１０に替えてボルトやナット等の固定手段を用いていもよい。
【００２６】
次に規制部３０について図１を中心に説明する。規制部３０は、基板部２の長手方向の一端部が他端側に折り返されることで形成される。より詳細には、規制部３０は、基板部２と接する板状の基部３１と、基部３１の自由端であって、上述した第一及び第二の仮想線上に位置するように設けられ、固定状態においてリベット１０の頭部１２と接する接触部としての片３２ａ、３２ｂと、基部３１の自由端であって、固定状態において孔部３ｃと３ｄの間に位置するように設けられ、工具の先端を挿入可能な引掛部３３と、を備える。
【００２７】
基部３１は、その幅が基板部２よりも小さく形成されることで、側板４ａ、４ｂに接するこがなく、折り返し易い構成となっている。また、基板部２と基部３１が接続される部分、換言すると折り返し部には、折り返し部に沿って細長の折り返し用孔部３４ａ、３４ｂが形成されている。これにより、規制部３０の折り返しを容易に行うことが可能となる。なお、本実施形態においては、細長状の折り返し用孔部３４ａ、３４ｂとしたがこれに限定されるわけではない。円形状のの折り返し用孔部を折り返し部に沿って複数形成していもよい。
【００２８】
接触部としての片３２ａは、上述した第一の仮想線上に、片３２ｂは上述した第二の仮想線上に位置するように、基部３１の自由端から突出するように形成されている。また、片３２ａ、３２ｂの先端部には、リベット１０の円筒形状の軸部１１に合わせて円弧状の凹み部が形成されている。この凹み部が軸部１１に接するように基板部２を折り返し、片３２ａ、３２ｂの先端部にリベット１０の頭部１２が被るようにしてリベット１０をかしめる。ここで、図５Ａ、図５Ｂは、片３２ａ、３２ｂの先端部がリベットによって固定された状態を示す拡大斜視図である。図５Ａ、図５Ｂに示すように、片３２ａ、片３２ｂの先端部は、リベット１０の頭部１２に押さえつけられるように固定されており、これにより、ファイル本体Ｂと綴具１とを安定的に固定することが可能となる。
【００２９】
引掛部３３は、基部３１の幅方向中心付近に長手方向に突出するように形成され、固定状態すなわち規制部３０を折り返した状態において、孔部３ｃと３ｄとの間に位置する。引掛部３３には、幅方向の中心付近にドライバー等の工具を挿入可能な挿入口３５が設けられている。挿入口３５に例えばマイナスドライバーの先端を挿入することで、折り返された規制部３０を容易に開くことが可能となる。なお、挿入口３５は、基板部２と折り返された規制部３０の引掛部３３との間に空間が形成されるように、引掛部３３の自由端側の一部を背表紙Ｂ３の内側方向に膨らませることで形成することができる。
【００３０】
＜使用方法＞
次に、ファイル本体Ｂと綴具１との取り外し方法について説明する。通常、綴具１はファイル本体Ｂの背表紙Ｂ３の内側にリベット１０を介して固定されている（図１参照）。この固定された綴具１を背表紙Ｂ３から分離する場合、まず、マイナスドライバー等の工具の先端を規制部３０の引掛部３３の挿入口３５に挿入し、規制部３０を開く（図４参照）。なお、図４は、規制部３０を完全に開いた状態を示すが、実際には片３２ａ、３２ｂの接触が解除される程度に開けばよい。
【００３１】
規制部３０による規制の解除を行ったら、基板部２を規制部３０の反対側に背表紙Ｂ３の長手方向に沿って移動する。リベット１０の頭部１２が孔部３ａ〜３ｄの解除領域部３ａ２〜３ｄ２に移動すると頭部１２が擦り抜け可能となり、基板部２を背表紙Ｂ３から分離することができる。
【００３２】
以上説明した本実施形態に係る綴具１によれば、リベット１０と規制部３０とを備えることで、多くの書類を綴じるような場合であっても、確実に固定状態を維持することができる。また、綴具１は金属製であることから長期の使用にも十分に耐えることができる。更に、規制部３０を開いてリベット１０が解除領域部３ａ２〜３ｄ２にくるように移動することで、基板部２を背表紙Ｂ３から容易に分離することがでる。その結果、ファイル本体Ｂと綴具１との分別廃棄が可能となる。
【００３３】
以上、本発明の好適な実施形態について説明したが、本発明はこれに限定されることなく、本発明の技術的思想を逸脱することなく種々の設計変更をなしえることは勿論である。
【図面の簡単な説明】
【００３４】
【図１】綴具をファイル本体の背表紙に固定した状態を示す斜視図である。
【図２】綴具の側面図である。
【図３Ａ】綴具の縦断面図である。
【図３Ｂ】リベットによる固定部分の拡大断面図である。
【図３Ｃ】他の実施形態のリベットを用いた場合の綴具の縦断面図である。
【図４】規制部を開いた状態を示す綴具の斜視図である。
【図５Ａ】片の先端部がリベットによって固定された状態を示す拡大斜視図である。
【図５Ｂ】片の先端部がリベットによって固定された状態を示す、図５Ａと異なる角度からみた拡大斜視図である。
【符号の説明】
【００３５】
１・・・綴具
２・・・基板部
３ａ〜３ｄ・・・孔部
４ａ、４ｂ・・・側板
５ａ、５ｂ・・・綴り管
６ａ、６ｂ・・・綴り棒
９ａ、９ｂ・・・ヒンジ
１０・・・リベット
３０・・・規制部
３１・・・基部
３２ａ、３２ｂ・・・片
３３・・・引掛け部
３５・・・挿入口
【図１】
2008119944.tif 000003
【図２】
2008119944.tif 000004
【図３Ａ】
2008119944.tif 000005
【図３Ｂ】
2008119944.tif 000006
【図３Ｃ】
2008119944.tif 000007
【図４】
2008119944.tif 000008
【図５Ａ】
2008119944.tif 000009
【図５Ｂ】
2008119944.tif 000010